(57)【要約】      （修正有）【課題】ウエストベルトが伸縮しないような見た目でありながら、実際にはウエストベルトが伸縮して着用者の体型の変化に柔軟に対応することのできるスカートを提供する。【解決手段】スカート１０を、スカート本体２０と、スカート本体２０の上縁に沿って設けられたウエストベルト３０とを備えたものとし、ウエストベルト３０を、その外面を形成するウエストベルト表地３１と、その内面を形成するウエストベルト裏地３２とで構成し、ウエストベルト表地３１を、その長手方向に対してバイアス取りされたバイアス生地によって形成するとともに、ウエストベルト裏地３２を、ニット生地によって形成した。【選択図】図２
0003160041.tif 000002
【実用新案登録請求の範囲】
【請求項１】
スカート本体と、スカート本体の上縁に沿って設けられたウエストベルトとを備えたスカートであって、
ウエストベルトが、その外面を形成するウエストベルト表地と、その内面を形成するウエストベルト裏地とで構成され、
ウエストベルト表地が、その長手方向に対してバイアス取りされたバイアス生地によって形成されるとともに、
ウエストベルト裏地が、ニット生地によって形成されたことを特徴とするスカート。
【請求項２】
前身頃側のウエストベルトにおける中央部の幅Ｗ１が、前身頃側のウエストベルトにおける両端部の幅Ｗ２よりも広く形成され、前身頃側のウエストベルトにおける中央部が下側に湾曲した形状とされた請求項１記載のスカート。
【請求項３】
ウエストベルトの上縁からスカート本体に向かって下向きにスカート着脱用のスリットが形成されるとともに、該スリットに沿ってファスナーが取り付けられて前記スリットが閉塞可能とされ、
ウエストベルトにおける前記スリットを挟んだ両側に、フックと、該フックを掛止するための被掛止部とがそれぞれ取り付けられ、
前記フックが、ウエストベルトに固定される固定基部と、該固定基部に対してスライド可能に取り付けられたスライド部と、該スライド部に一体的に設けられて前記被掛止部に掛止される掛止部と、前記固定基部に一体的に設けられた軸部と、該軸部に外嵌されて前記スライド部及び前記掛止部をウエストベルトの長手方向に沿って前記スリットとは反対側に付勢するためのスプリング部とで構成された請求項１又は２記載のスカート。
【請求項４】
スカート本体が、その外面を形成するスカート表地と、その内面を形成するスカート裏地とで構成され、
スカート裏地が、伸縮生地によって形成された請求項１〜３いずれか記載のスカート。
【考案の詳細な説明】
【技術分野】
【０００１】
本考案は、ウエストベルトに特徴を有するスカートに関する。
【背景技術】
【０００２】
昨今の共働き世帯の増加や晩婚化の影響が相俟って、働く女性の年齢が高くなりつつあり、３０〜５０代の女性でも働き続ける人が多くなってきている。このため、事務職の女性が着用する制服、特にスカートは、今までに増して、それを着用する女性の体形変化に柔軟に対応できるようにすることが要求されるようになってきている。このような実状に鑑みて、ウエストベルトの脇部をゴムで形成し、ウエストベルトが伸縮するようにしたスカート（脇ゴムタイプのスカート）が制服として採用されることもあった。
【０００３】
ところが、脇ゴムタイプのスカートは女性に敬遠されやすかった。というのも、脇ゴムタイプのスカートは、ウエストベルトの脇部がゴムで形成されていることが一目で分かるため、見た目が悪かったからである。このため、制服を製作する被服メーカーなどは、「スカートは身体に馴染みやすく楽に長く着用できるものがいいけど、お洒落なスカートを着用したい。」という、一見矛盾する女性の要求に応えようと、これまでに、様々なタイプのスカートを開発してきた。
【０００４】
例えば、特許文献１には、スカート本体と、スカート本体の上縁に沿って設けられたウエストベルトとを備えたスカートであって、ウエストベルトを、その外面を形成するウエストベルト表地と、その内面を形成するウエストベルト裏地とで構成し、ウエストベルト表地の内面に芯地を熱溶着するとともに、ウエストベルト表地とウエストベルト裏地とをバイアス取りした織布（バイアス生地）によって形成したスカートが提案されている。これにより、ウエストバンドを身体へ馴染みやすいものとすることができるとされている。
【０００５】
特許文献１には、ウエストベルト表地及びウエストベルト裏地における上縁及び下縁を下側に凸となるように湾曲して形成することについても記載されている。これにより、スカートを着用する女子学生が、スカートのウエスト部を折り返したり、巻き込んだりすることにより、スカート丈を短くして着用するのを防ぐことができるとされている。
【０００６】
しかし、バイアス生地は、ある程度の伸縮性を有するといっても、ニット生地などと比較すると、伸縮しにくい生地であったため、ウエストベルト表地とウエストベルト裏地の両方がバイアス生地で形成された特許文献１のスカートは、必ずしもウエストベルトの伸縮性に優れたものとはなっていなかった。ウエストベルト表地の内面に芯材が熱溶着されていることを考慮すると、特許文献１のスカートにおけるウエストベルトの伸縮性は、一般的なスカートにおけるウエストベルトの伸縮性と大差ないものと推測される。また、ウエストベルト表地に熱溶着された芯材が、着用者のウエスト周りに違和感を与えるおそれもある。さらに、芯材を熱溶着する必要がある分、その製造コストがかさむことが予想される。
【先行技術文献】
【特許文献】
【０００７】
【特許文献１】実用新案登録第３１００３０３号公報
【考案の概要】
【考案が解決しようとする課題】
【０００８】
本考案は、上記課題を解決するためになされたものであり、ウエストベルトが伸縮しないような見た目でありながら、実際にはウエストベルトが伸縮して着用者の体型の変化に柔軟に対応することができ、「楽に着用したいけどお洒落で綺麗に見られたい。」という女性の要求にも応えることのできるスカートを提供するものである。また、そのような女性の要求に応えることのできるスカートの製造コストを抑えることも本考案の目的である。
【課題を解決するための手段】
【０００９】
上記課題は、スカート本体と、スカート本体の上縁に沿って設けられたウエストベルトとを備えたスカートであって、ウエストベルトが、その外面を形成するウエストベルト表地と、その内面を形成するウエストベルト裏地とで構成され、ウエストベルト表地が、その長手方向に対してバイアス取りされたバイアス生地によって形成されるとともに、ウエストベルト裏地が、ニット生地によって形成されたことを特徴とするスカートを提供することによって解決される。ここで、「ウエストベルト裏地」という語は、単に、「ウエストベルトの裏側（内側）に配される生地」という意味で用いただけであり、その縫製方法やそれに使用する生地の種類を限定するものではない。
【００１０】
これにより、例えば、スカート本体の外面を形成するウエストベルト表地と同じ生地を、ウエストベルト表地に採用しながらも、ウエストベルトに伸縮性を付与することも可能になる。したがって、ウエストベルトが伸縮しないような見た目でありながら、実際にはウエストベルトが伸縮して着用者の体型の変化に柔軟に対応することができるスカートを提供することが可能になる。
【００１１】
本考案のスカートにおいて、ウエストベルトは、スカート本体の上縁に沿って設けられたものであれば、その形態を特に限定されないが、前身頃側のウエストベルトにおける中央部の幅Ｗ１を、前身頃側のウエストベルトにおける両端部の幅Ｗ２よりも広く形成し、前身頃側のウエストベルトにおける中央部を下側に湾曲した形状とすることが好ましい。このように、ウエストベルトの前身頃側における中央部を下側に湾曲させることにより、着用者の下腹部の膨らみを伸縮性を有するウエストベルトで自然に覆うことが可能になる。したがって、ウエストベルトの上側や下側から肉がはみ出た見苦しい状態となるのを防ぐことが可能になる。また、ウエストベルトの両端部が斜め上向きとなるので、前身頃側から見た際に、ヒップラインを高く見せることも可能になる。
【００１２】
また、本考案のスカートにおいて、ウエストベルトの上縁からスカート本体に向かって下向きにスカート着脱用のスリットを形成するとともに、該スリットに沿ってファスナーを取り付けて前記スリットを閉塞可能とし、ウエストベルトにおける前記スリットを挟んだ両側に、フックと、該フックを掛止するための被掛止部とをそれぞれ取り付け、前記フックを、ウエストベルトに固定される固定基部と、該固定基部に対してスライド可能に取り付けられたスライド部と、該スライド部に一体的に設けられて前記被掛止部に掛止される掛止部と、前記固定基部に一体的に設けられた軸部と、該軸部に外嵌されて前記スライド部及び前記掛止部をウエストベルトの長手方向に沿って前記スリットとは反対側に付勢するためのスプリング部とで構成することも好ましい。このように、ウエストベルトを留める前記フックに弾性を付与することにより、スカートにおけるウエストベルトに沿った方向の伸縮性をさらに増大させることが可能になり、スカートを脱ぎ着しやすいものとするだけでなく、スカートの履き心地をさらに向上させることが可能になる。
【００１３】
さらに、本考案のスカートにおいて、スカート本体を、その外面を形成するスカート表地と、その内面を形成するスカート裏地とで構成し、スカート裏地を、伸縮生地によって形成することも好ましい。これにより、スカートを、ウエストベルトに沿った部分だけでなく、全体的に伸縮しやすいようにすることも可能になり、着用者の下半身の全体的な動き（例えば、屈む動作）に柔軟に追従できるものとすることも可能になる。また、スカート裏地がウエストベルトの伸縮性を阻害しないようにすることも可能になるため、ウエストベルトの伸縮性を最大限発揮させることも可能になる。
【考案の効果】
【００１４】
以上のように、本考案によって、ウエストベルトが伸縮しないような見た目でありながら、実際にはウエストベルトが伸縮して着用者の体型の変化に柔軟に対応することができ、「楽に着用したいけどお洒落で綺麗に見られたい。」という女性の要求にも応えることのできるスカートを提供することが可能になる。また、そのような女性の要求に応えることのできるスカートの製造コストを抑えることも本考案の目的である。
【図面の簡単な説明】
【００１５】
【図１】本考案に係るスカートを前身頃側から見た正面図である。
【図２】本考案に係るスカートを後身頃側から見た背面図である。
【考案を実施するための形態】
【００１６】
本考案のスカートの好適な実施態様について、図面を用いてより具体的に説明する。図１は、本考案に係るスカート１０を前身頃側から見た正面図である。図２は、本考案に係るスカート１０を後身頃側から見た背面図である。図１と図２において、スカート表地２１とウエストベルト表地３１は、網掛けのハッチングで示してあるが、該ハッチングの網目を形成する互いに交差する２本の線は、当該部分を形成する織布の経糸及び緯糸の向きを示している。
【００１７】
本実施態様のスカート１０は、図１と図２に示すように、スカート本体２０と、スカート本体２０の上縁に沿って設けられたウエストベルト３０とを備えたものとなっている。スカート１０の後身頃側には、図２に示すように、ウエストベルト３０の上縁からスカート本体１０に向かって下向きにスカート着脱用のスリット（符号省略）が形成されるとともに、該スリットに沿ってファスナー４０が取り付けられている。着用者は、このファスナー４０を上げ下ろしすることによって、スカート１０を容易に着たり脱いだりすることができるようになっている。ウエストベルト３０における前記スリットを挟んだ両側には、フック５０と、フック５０を掛止するための被掛止部６０とがそれぞれ取り付けられている。スカート１０の着用時に、このフック５０を被掛止部６０に掛止することにより、ファスナー４０が下側に下がらないようにすることが可能となっている。スカート本体２０は、その外面を形成するスカート表地２１と、その内面を形成するスカート裏地２２とで構成されている。また、ウエストベルト３０は、図２に示すように、その外面を形成するウエストベルト表地３１と、その内面を形成するウエストベルト裏地３２とで構成されている。
【００１８】
スカート表地２１は、図１と図２に示すように、経糸及び緯糸がそれぞれスカート１０の上下方向及び左右方向に対して平行となるように織り込んだ織布（経（縦）地又は緯（横）地）によって形成している。経糸及び緯糸には、伸縮性を有さないものを使用している。このため、スカート表地２１は、その上下方向及び左右方向には実質的に伸縮性を有さず、バイアス方向（経糸及び緯糸に対して傾斜する方向）にのみある程度の伸縮性を有するものとなっている。このように、本実施態様のスカート１０においては、スカート表地２１として伸縮性を有さない糸で形成した経地を使用しているが、この構成に限定されるものではなく、後述するウエストベルト表地３１と同様のバイアス生地でスカート表地２１を形成してもよいし、スカート表地２１を形成する糸として伸縮性を有する糸（ストレッチ糸）を使用してもよい。また、スカート表地２１には、客先の要望に応じた模様を施してもよい。
【００１９】
一方、スカート裏地２２は、伸縮生地によって形成されたものとなっている。このため、スカート１０の着用者の下半身の動きに柔軟に対応できるようになっており、スカート１０の履き心地を向上させている。スカート裏地２２として採用する伸縮生地は、伸縮性を有するものであれば特に限定されないが、横方向の伸び率５〜２０％の生地を使用することが好ましい。スカート裏地２２の横方向の伸縮率は、１７％以下であることが好ましく、１５％以下であることがより好ましい。本実施態様のスカート１０においては、横方向の伸び率が８％の生地によってスカート裏地２２を形成している。このほか、横方向の伸び率が１５％の生地によってスカート裏地２２を形成したスカート１０も好適な実施態様の一つである。
【００２０】
また、ウエストベルト表地３１は、図１と図２に示すように、その長手方向（着用者のウエストの周回方向）に対してバイアス取りされたバイアス生地によって形成されている。ここで、バイアス生地とは、図１と図２におけるウエストベルト表地３１の網掛けのハッチングで示すように、ウエストベルト表地３１の織布を形成する経糸と緯糸とが、ウエストベルト表地３１の長手方向及び短手方向のいずれに対しても傾斜するように裁断された生地のことをいう。これにより、ウエストベルト表地３１として、スカート表地２１と同じ織布を使用しながらも、ウエストベルト３１に伸縮性（特にウエストベルト３０の長手方向に沿った伸縮性）を付与することが可能となっている。
【００２１】
ウエストベルト表地３１の織布を形成する経糸及び緯糸のウエストベルト表地３１の長手方向に対する傾斜角度は、特に限定されない。しかし、当該傾斜角度を小さくしすぎても大きくしすぎても、ウエストベルト表地３１の伸縮性を確保できなくなるおそれがある。このため、前記傾斜角度は、通常、２０〜７０°（ウエストベルト表地３１に引張力などの外力を加えていない自然状態での角度。以下同じ。）とされ、好ましくは、３０〜６０°とされ、より好ましくは、４０〜５０°とされる。本実施態様のスカート１０において、前記傾斜角度は、いずれも４５°としている。
【００２２】
一方、ウエストベルト裏地３２は、ニット生地によって形成している。これにより、ウエストベルト裏地３２がウエストベルト表地３１の伸縮性を阻害しないようにすることが可能となるだけでなく、ウエストベルト表地３１に適度な弾性を付与することが可能になり、ウエストベルト表地３１が伸びたままの状態とならないようにすることも可能となっている。
【００２３】
ウエストベルト３０は、スカート本体１０の上縁に沿って設けられたものであれば、その形態を特に限定されないが、本実施態様のスカート１０においては、図１に示すように、前身頃側のウエストベルト３０における中央部の幅Ｗ１を、前身頃側のウエストベルト３０における両端部の幅Ｗ２よりも広く形成しており、前身頃側のウエストベルトにおける中央部が下側に湾曲した形状となるようにしている。このため、脇ゴムタイプのスカートや、アジャスター付きのスカートとは異なり、着用者のウエストラインをすっきりと美しく見せるだけでなく、着用者のヒップラインを高く見せることも可能となっている。より具体的に表現すれば、スカート１０の着用者のウエストに、まるでガードルを着用しているかのような安定感を付与することが可能となっている。
【００２４】
前身頃側のウエストベルト３０における中央部の幅Ｗ１（図１を参照）や、前身頃側及び後身頃側のウエストベルト３０における両端部の幅Ｗ２（図１又は図２を参照）や、後身頃側のウエストベルト３０における中央部の幅Ｗ３は、スカート１０のサイズ（例えば、Ｓサイズであるか、Ｍサイズであるか、Ｌサイズであるか）などによっても異なるため、特に限定されない。しかし、幅Ｗ１，Ｗ２，Ｗ３を狭くしすぎると、ウエストベルト３０に十分な伸縮性が付与されなくなり（特に前身頃側の中央部）、スカート１０の着用者が腹部に窮屈感を感じるようになるおそれがある。また、幅Ｗ１，Ｗ２，Ｗ３を広くしすぎると、スカート１０の見た目が悪くなるおそれがある。このため、幅Ｗ１，Ｗ２，Ｗ３（スカート１０がＭサイズである場合の上がり寸法。以下同じ。）は、通常、２５〜１５０ｍｍ、好ましくは、３０〜１２０ｍｍ、より好ましくは、３５〜１００ｍｍとされる。幅Ｗ１，Ｗ２，Ｗ３は、スカート１０がＭサイズよりも小さなサイズの場合には、上記の範囲よりも狭くし、スカート１０がＭサイズよりも大きなサイズの場合には、上記の範囲よりも広くすることができる。
【００２５】
また、前身頃側のウエストベルト３０の中央部の幅Ｗ１（図１を参照）に対する、前身頃側及び後身頃側のウエストベルト３０の両端部の幅Ｗ２（図１又は図２を参照）の比Ｗ２／Ｗ１は、１未満であれば（幅Ｗ１よりも幅Ｗ２が狭ければ）特に限定されない。しかし、比Ｗ２／Ｗ１を小さくしすぎると（幅Ｗ１と幅Ｗ２とが同じような幅になると）、上述したヒップアップ効果が奏されにくくなるおそれがあるし、比Ｗ２／Ｗ１を大きくしすぎると、スカート１０の見た目が悪くなるおそれがある。このため、比Ｗ２／Ｗ１は、通常、０．２〜０．９、好ましくは、０．３〜０．８、より好ましくは、０．４〜０．７とされる。本実施態様のスカート１０において、ウエストベルト３０の幅Ｗ１，Ｗ２，Ｗ３は、それぞれ約８２ｍｍ、約５２ｍｍ、約５５ｍｍ（パターン寸法では、それぞれ８５ｍｍ、５５ｍｍ、５５ｍｍ）としており、幅Ｗ１に対する幅Ｗ２の比Ｗ２／Ｗ１は、約０．６３となっている。
【００２６】
さらに、フック５０は、スカート１０の後身頃側に設けられたスカート着脱用のスリット（符号省略）の上端を留めることのできる形態のものであれば特に限定されない。しかし、本実施態様のスカート１０においては、図２に示すように、フック５０を、ウエストベルト３０のウエストベルト裏地３２に固定される固定基部５１と、固定基部５１に対してスライド可能に取り付けられたスライド部５２と、スライド部５２に一体的に設けられて被掛止部６０に掛止される掛止部５３と、固定基部５１に一体的に設けられた軸部５４と、軸部５４に外嵌されてスライド部５２及び掛止部５３をウエストベルト３０の長手方向に沿って前記スリットとは反対側（図２における矢印ａの向き）に付勢するためのスプリング部５５とで構成している。掛止部５３は、リング状の被掛止部６０に掛止することができるように、断面視鉤状のものとしており、スプリング部５５には、コイルスプリングを使用している。
【００２７】
フック５０を上記のように構成することにより、掛止部５３が被掛止部６０に掛止された際に、掛止部５３がウエストベルト３０の長手方向（図２における矢印ａ，ｂの向き）に沿ってスライドすることが可能となるとともに、前記スリットの側（図２における矢印ｂの向き）に掛止部５３がスライドした際には、スプリング部５５が掛止部５３をスライド部５２とともに矢印ａの向きに弾性的な力が加えられるようにすることが可能になる。このため、本実施態様のスカート１０は、ウエストベルト３０の長手方向に沿った伸縮性にさらに優れたものとなっている。本実施態様のスカート１０の着用感は、従来のスカートにはない快適な履き心地を着用者に提供できるものとなっている。
【００２８】
本考案に係るスカート１０の用途は、特に限定されるものではなく、各種スカートに採用することができる。本考案に係るスカート１０の見た目は、通常のお洒落なスカートと変わらないため、お洒落着としても採用することも可能である。しかし、会社や学校の制服のスカートとして好適に使用できる。会社で働く女性や、学校に通う女子学生は、年齢とともにその体型が大きく変化することがあるが、そのような場合であっても、本考案のスカート１０ならばその体型の変化に柔軟に対応することができるからである。
【符号の説明】
【００２９】
１０  スカート
２０  スカート本体
２１  スカート表地
２２  スカート裏地
３０  ウエストベルト
３１  ウエストベルト表地
３２  ウエストベルト裏地
４０  ファスナー
５０  フック
５１  固定基部
５２  スライド部
５３  掛止部
５４  軸部
５５  スプリング部
６０  被掛止部
【図１】
0003160041.tif 000003
【図２】
0003160041.tif 000004